【手続補正書】
【提出日】平成20年3月7日(2008.3.7)
【手続補正１】
【補正対象書類名】明細書
【補正対象項目名】発明の名称
【補正方法】変更
【補正の内容】
【発明の名称】定着装置
【手続補正２】
【補正対象書類名】明細書
【補正対象項目名】特許請求の範囲
【補正方法】変更
【補正の内容】
【特許請求の範囲】
【請求項１】
細長い基板上に抵抗発熱体が形成された加熱体と、内周面が前記加熱体に接触しつつ回転する筒状のフィルムと、前記フィルムを介して前記加熱体と共に定着ニップ部を形成する加圧ローラと、前記加熱体を保持する加熱体保持部材と、温度検出素子と前記温度検出素子を保持する耐熱弾性部材と前記耐熱弾性部材を保持する温度検出素子保持部材を備えており前記加熱体保持部材に設けられた貫通孔を介して前記耐熱弾性部材の温度検出素子保持面側が前記加熱体の前記フィルム接触面とは反対側の面に接触し前記加熱体の温度を検出する温度検出手段と、前記温度検出手段を前記加熱体に付勢する付勢手段と、を有し、前記定着ニップ部でトナー像を担持する記録材を挟持搬送しつつトナー像を記録材に加熱定着する定着装置において、
前記付勢手段は二つのばねを有し、この二つのばねで前記加熱体の長手方向において前記温度検出素子を中心に対称な前記温度検出素子保持部材の二つの位置をそれぞれ付勢することにより前記温度検出手段を前記加熱体に付勢しており、前記温度検出手段は前記温度検出素子保持部材を前記加熱体保持部材に位置決めすることにより前記加熱体保持部材に対して位置決めされていることを特徴とする定着装置。
【請求項２】
前記温度検出素子保持部材と前記加熱体保持部材との位置決め位置は前記長手方向において二箇所設けられており、前記二個所の位置決め位置と前記二つのばねの付勢位置が前記長手方向において一致していることを特徴とする請求項１に記載の定着装置。
【手続補正３】
【補正対象書類名】明細書
【補正対象項目名】０００１
【補正方法】変更
【補正の内容】
【０００１】
【発明の属する技術分野】
本発明は複写機、レーザープリンタ、ファクシミリ等の電子写真プロセスを用いる画像形成装置の定着装置に関するものである。
【手続補正４】
【補正対象書類名】明細書
【補正対象項目名】００２２
【補正方法】変更
【補正の内容】
【００２２】
図６に示すとおり、温度検出装置は、位置決め体３４によって、加熱体保持部材３９及び加熱体８とに対して位置決めされ、板ばね３５ａ、３５ｂを介して温度検出素子保持部材３３と連結されており、板ばねの曲げ応力の作用によって温度検出素子１と加熱体８の接触圧が保証される構成になっている。
【手続補正５】
【補正対象書類名】明細書
【補正対象項目名】００２９
【補正方法】変更
【補正の内容】
【００２９】
本発明は上記従来の問題点を解決するものであって、温度検出精度が高く定着加熱むらや破損の危険性のない高品質・高信頼性の定着装置を提供するものである。
【手続補正６】
【補正対象書類名】明細書
【補正対象項目名】００３０
【補正方法】変更
【補正の内容】
【００３０】
【課題を解決するための手段】
本発明は、細長い基板上に抵抗発熱体が形成された加熱体と、内周面が前記加熱体に接触しつつ回転する筒状のフィルムと、前記フィルムを介して前記加熱体と共に定着ニップ部を形成する加圧ローラと、前記加熱体を保持する加熱体保持部材と、温度検出素子と前記温度検出素子を保持する耐熱弾性部材と前記耐熱弾性部材を保持する温度検出素子保持部材を備えており前記加熱体保持部材に設けられた貫通孔を介して前記耐熱弾性部材の温度検出素子保持面側が前記加熱体の前記フィルム接触面とは反対側の面に接触し前記加熱体の温度を検出する温度検出手段と、前記温度検出手段を前記加熱体に付勢する付勢手段と、を有し、前記定着ニップ部でトナー像を担持する記録材を挟持搬送しつつトナー像を記録材に加熱定着する定着装置において、前記付勢手段は二つのばねを有し、この二つのばねで前記加熱体の長手方向において前記温度検出素子を中心に対称な前記温度検出素子保持部材の二つの位置をそれぞれ付勢することにより前記温度検出手段を前記加熱体に付勢しており、前記温度検出手段は前記温度検出素子保持部材を前記加熱体保持部材に位置決めすることにより前記加熱体保持部材に対して位置決めされていることを特徴とする定着装置にある。
【手続補正７】
【補正対象書類名】明細書
【補正対象項目名】００３１
【補正方法】削除
【補正の内容】
【手続補正８】
【補正対象書類名】明細書
【補正対象項目名】００３２
【補正方法】削除
【補正の内容】
【手続補正９】
【補正対象書類名】明細書
【補正対象項目名】００３３
【補正方法】削除
【補正の内容】
【手続補正１０】
【補正対象書類名】明細書
【補正対象項目名】００３４
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３６
【補正方法】削除
【補正の内容】
【手続補正１３】
【補正対象書類名】明細書
【補正対象項目名】００３７
【補正方法】削除
【補正の内容】
【手続補正１４】
【補正対象書類名】明細書
【補正対象項目名】００３８
【補正方法】変更
【補正の内容】
【００３８】
上記した構成では、温度検出素子保持部材を加熱体保持部材に位置決めすることによって、温度検出手段と加熱体及び加熱体保持部材との位置精度が向上する作用がある。又、位置精度が向上することによって加熱体保持部材の貫通孔を可及的に小さくできる作用もある。
【手続補正１５】
【補正対象書類名】明細書
【補正対象項目名】００４０
【補正方法】変更
【補正の内容】
【００４０】
図１は温度検出装置（温度検出手段）が加熱体保持部材に取り付けられた加熱定着装置（定着装置）を示す図であり、（ａ）は平面図、（ｂ）は（ａ）のＡ-Ａ線断面図、（ｃ）は（ｂ）のＢ-Ｂ線断面図である。
【手続補正１６】
【補正対象書類名】明細書
【補正対象項目名】００４１
【補正方法】変更
【補正の内容】
【００４１】
図１において、１は温度検出素子、２は耐熱弾性部材、３は温度検出素子保持部材、３ａは温度検出素子保持面、３ｂと３ｃはばね受け面、３ｄと３ｅは位置決め孔、５と６は圧縮ばね、７はハーネス、８は加熱体、９は加熱体保持部材、９ａと９ｂは温度検出素子保持部を位置決めする突起である。ただし、平面図において、圧縮ばねは省略されている。
【手続補正１７】
【補正対象書類名】明細書
【補正対象項目名】００４２
【補正方法】変更
【補正の内容】
【００４２】
図１において、温度検出装置は、温度検出素子保持部材３の下端部に設けた温度検出素子保持面３ａに、温度検出素子１を下面に有する耐熱弾性部材２を取り付けており、温度検出素子保持部材３の長手方向の両端部には円形の位置決め孔３ｄと長孔の位置決め孔３ｅが形成され、また位置決め孔３ｄと３ｅよりも内側の上端面には、圧縮ばね５、６の下端部がはまり込むばね受け面３ｂと３ｃが形成されている。また、温度検出素子保持部材３は、他端側から温度検出素子１に接続されているハーネス７が外に延びている。
【手続補正１８】
【補正対象書類名】明細書
【補正対象項目名】００４３
【補正方法】変更
【補正の内容】
【００４３】
また、加熱体保持部材９には、温度検出素子保持部材３の位置決め孔３ｄと３ｅに嵌合する位置決めする突起９ａと９ｂが形成され、これら位置決め孔３ｄ, ３ｅと、突起９ａ,９ｂとを嵌合させると、加熱体８を露出させる貫通孔９ｃに耐熱弾性部材２が嵌り込み、温度検出素子１が加熱体８に接触する。ただし、図１（ａ）において、圧縮ばね５は省略されている。
【手続補正１９】
【補正対象書類名】明細書
【補正対象項目名】００４４
【補正方法】変更
【補正の内容】
【００４４】
温度検出装置は、位置決め孔３ｄ，３ｅと突起９ａ，９ｂの嵌め合いによって位置決め突起のラジアル方向の位置が決定し、圧縮ばね５、６の上端（温度検出装置を付勢している側と反対側）が図示されていない固定部材によって固定され、圧縮ばね５、６が所定の作用長で保持されることによって、温度検出装置のスラスト方向の位置が決定する構成となっている。
【手続補正２０】
【補正対象書類名】明細書
【補正対象項目名】００４６
【補正方法】変更
【補正の内容】
【００４６】
図１に示す通り、本発明の第１の実施の形態によれば、温度検出素子１を中心にして加熱体８の長手方向においてほぼ対称な位置を圧縮ばねによって温度検出装置の裏側から直接付勢しているため、温度検出素子１と加熱体８の接触圧を安定させる効果がある。
【手続補正２１】
【補正対象書類名】明細書
【補正対象項目名】００４７
【補正方法】変更
【補正の内容】
【００４７】
また、従来例のように温度検出素子保持部と位置決め部が板ばねで連結された構成でなく、温度検出素子保持部材３に位置決め孔３ｄ，３ｅが形成されているため、加熱体８と加熱体保持部材９との位置決め精度を向上させることができる。この結果、従来例に比べて、温度検出の精度を向上させることができる。位置精度が向上するため、従来例に比べて貫通孔部における加熱体の非接触面を狭く設定することができ、定着加熱のむらや熱応力による加熱体の破損が発生しにくい。
【手続補正２２】
【補正対象書類名】明細書
【補正対象項目名】００４８
【補正方法】変更
【補正の内容】
【００４８】
また、本実施の形態は、位置決め部位は、温度検出素子保持部材３側を孔、加熱体保持部材９を突起で描かれているが、温度検出素子保持部材３側を突起、加熱体保持部材９を孔としても同様の効果があることはいうまでもない。
【手続補正２３】
【補正対象書類名】明細書
【補正対象項目名】００５５
【補正方法】変更
【補正の内容】
【００５５】
本実施の形態では、温度検出装置は、位置決め孔と突起のはめあいによって位置決め突起９ａ，９ｂのラジアル方向の位置が決定し、圧縮ばね５，６の上端（温度検出素子保持部材１３を付勢している側と反対側）が図示されていない固定部材によって固定され、圧縮ばね５、６が所定の作用長で保持されることによって、温度検出装置のスラスト方向の位置が決定する構成となっていることは第１の実施の形態と同様である。
【手続補正２４】
【補正対象書類名】明細書
【補正対象項目名】００６２
【補正方法】変更
【補正の内容】
【００６２】
温度検出装置は、温度検出素子保持部材２３の他方側に設けた位置決め孔２３ｄと突起２９ａのはめあいによって位置決め突起２９ａのラジアル方向の位置が決定し、圧縮ばね５，６の上端（温度検出素子保持部材２３を付勢している側と反対側）が図示されていない固定部材によって固定され、圧縮ばねが所定の作用長で保持されることによって、温度検出手段のスラスト方向の位置が決定する構成となっていることは第１・第２の実施の形態と同様である。
【手続補正２５】
【補正対象書類名】明細書
【補正対象項目名】００６３
【補正方法】変更
【補正の内容】
【００６３】
温度検出素子１からハーネス７までの導体のレイアウトによっては第１・第２の実施の形態のように位置決め孔を設けられない場合があり、本実施の形態のように外周で位置決めする構成となる場合がある。
【手続補正２６】
【補正対象書類名】明細書
【補正対象項目名】００６５
【補正方法】変更
【補正の内容】
【００６５】
【発明の効果】
本発明によれば、温度検出素子保持部材を加熱体保持部材に位置決めすることによって、接触面の面圧が安定化すると共に加熱体に対する位置決め精度を向上し、温度検出素子と被温度測定体としての加熱体及び加熱体保持部材の位置精度の向上が図れ、定着装置の低消費電力化や立ち上げ時間の短縮などに寄与するため、この発明の効果は大きい。
【手続補正２７】
【補正対象書類名】明細書
【補正対象項目名】００６６
【補正方法】変更
【補正の内容】
【００６６】
また、温度検出素子と被温度測定体としての加熱体を保持する加熱体保持部材の位置精度が向上する結果、加熱体保持部材の貫通孔を小さく設計することが可能となり、加熱体の非接触面積が従来に比べて小さくできるため、定着加熱のむらや熱応力による加熱体の破損が発生しにくい定着装置を実現でき、この発明の効果は大きい。
【手続補正２８】
【補正対象書類名】図面
【補正対象項目名】図１
【補正方法】変更
【補正の内容】
【図１】
2002267542.tif 000001
【手続補正２９】
【補正対象書類名】図面
【補正対象項目名】図５
【補正方法】変更
【補正の内容】
【図５】
2002267542.tif 000002
【手続補正３０】
【補正対象書類名】図面
【補正対象項目名】図６
【補正方法】変更
【補正の内容】
【図６】
2002267542.tif 000003